(57)【要約】【課題】手摺の高さを施工時に容易に調整することができる手摺支柱を提案するものである。【解決手段】本発明手摺支柱は、中空状の下部支柱とこの下部支柱の内形より稍々小形の上部支柱からなり、下部支柱の側壁には上下方向に亘って等間隔で多数の透孔が穿設され、上部支柱の下部側壁には１〜複数の透孔が穿設され、上部支柱の透孔の間隔は下部支柱の透孔の間隔と等しくなされ上部支柱はその下部が下部支柱内に挿入され、前記透孔を貫通する螺子により螺着されていることを特徴とするものであり、上部支柱と下部支柱が夫々の側壁に設けられた透孔を貫通する螺子により固着されているので、上部支柱に荷重がかかってもずれることがない。【選択図】        図１
2006299581.tif 000002
【特許請求の範囲】
【請求項１】
中空状の下部支柱とこの下部支柱の内形より稍々小形の上部支柱からなり、下部支柱の側壁には上下方向に亘って等間隔で多数の透孔が穿設され、上部支柱の下部側壁には１〜複数の透孔が穿設され、上部支柱の透孔の間隔は下部支柱の透孔の間隔と等しくなされ上部支柱はその下部が下部支柱内に挿入され、前記透孔を貫通する螺子により螺着されていることを特徴とする手摺支柱。
【請求項２】
上部支柱の下部の透孔の背後に雌ネジが螺設された板体が設けられ、下部支柱と上部支柱を貫通する螺子がこの板体に螺入固着されたことを特徴とする請求項１記載の手摺支柱。
【請求項３】
地表に取り付けるためのベースプレートに上部支柱と同形で、側壁の上部に補助支柱が設けられ、この補助支柱の上部側壁に１〜複数の透孔が穿設され、補助支柱の透孔の間隔は下部支柱の透孔の間隔と等しくなされ、補助支柱上部の透孔の背後に雌ネジが螺設された板体が設けられ、下部支柱と補助支柱を貫通する螺子がこの板体に螺入固着されたことを特徴とする請求項１又は２記載の手摺支柱。
【発明の詳細な説明】
【技術分野】
【０００１】
本発明は、玄関前のアプローチや階段などに主として設置される手摺の支柱に関し、特に使用者の体格に合わせて手摺の高さを調整することが容易な手摺の支柱に関する。
【背景技術】
【０００２】
【特許文献１】特開平１１−８１４４７２号
【特許文献１】特開平１２−１２９７７４号  従来、手摺支柱の高さの調整方法として種々の提案がされている。例えば、特開平１１−８１４４７２号には、裏側にはスラブ上に保持される脚部が形成され且つ上側には該スラブ上に立設されるアンカーボルトが余裕を持って通過できる第一拡大孔を有する凹球面が形成された基台部材と、該基台部材の該凹球面に対応して載置される凸球面に該アンカーボルトが余裕を持って通過できる第二拡大孔が形成された底板部から両側板部が立上がるブラケット部材と、該第二拡大孔より大径で該アンカーボルトを通過させた該ブラケット部材の該底板部上に載置される設置座金と、該設置座金上で該アンカーボルトを締付ける締付ナットと、該ブラケット部材の該両側板部に外嵌して高さ位置調節自在に取付けられる閉鎖断面材の支柱部材とよりなることを特徴とする支柱立設装置が提案されている。
【０００３】
又、特開平１２−１２９７７４号には、アルミ型材から成る手摺用の柱材をベランダ躯体のコンクリート製の立ち上がり部に支持するための支持金具であって、ベランダの立ち上がり部に垂直に形成された据込み穴に下部が挿入され、据込み穴に注入された樹脂で垂直に固定されるねじ棒と、このねじ棒と前記柱材との間に介設され、下部においてねじ棒に対して上下位置を調節自在に結合され、上部において柱材に結合される中間部材とを具備し、この中間部材は、上部がボルト等の結合部材で前記柱材に結合される連結部材と、この連結部材に結合され、前記ねじ棒に螺合される高ナットとを具備し、この高ナットのねじ棒に対する螺合高さを調整することによって、柱材の支持高さを調整可能としたことを特徴とするアルミ手摺用柱材の支持金具が提案されている。
【発明の開示】
【発明が解決しようとする課題】
【０００４】
特開平１１−８１４４７２号に提案されている支柱立設装置においては、支柱立設装置として、支柱の前後左右のいずれの水平方向の位置調整を可能とし、支柱の前後左右のいずれの方向の傾度調整を可能とし、且つ支柱の高さ位置調整も可能とし、基台部材とブラケット部材とは、水平方向および傾度の調整が終了した際に、アンカーボルトに締付ナットを締付ける単一作業のみで固定できるから、組立作業は容易であり、また再調整も簡単に行うことができる。また構造が簡単で充分な固定状態を維持することができ、ブラケット部材に支柱部材を高さ調節自在に取付ける作業も、ブラケット部材の側板部に支柱部材を高さ調節して外嵌し、支柱部材の取付孔から取付ボルトを締着すればよく簡単であり且つ強固な取付けが可能である。支柱部材上の取付手段としては、取付孔のみであるから内部への浸水の虞がなく、また外観も優美であるという特徴を有するものの、ベース部材とブラケット部材の長孔を介したボルトによる摩擦接合であるため、鉛直荷重によりずれが発生するおそれがあった。
【０００５】
又、特開平１２−１２９７７４号に提案されているアルミ手摺用柱材の支持金具においては、高ナットのねじ棒に対する螺合高さを調整することによって、水平出しを行った後、連結部材の上部をボルト等の結合部材で柱材に結合する。高ナットをねじ棒に対して回転させるだけで高さ調整が行えるので、水平出しが容易であるという特徴を有するものの、必要な強度を得るためには、大径の高ナットやねじ棒を使用する必要があり、コストが高くなるという問題があった。
【０００６】
そこで、本発明者は、手摺の高さを施工時に容易に調整することができる手摺支柱を提案するものである。
【課題を解決するための手段】
【０００７】
本発明請求項１記載の手摺支柱は、中空状の下部支柱とこの下部支柱の内形より稍々小形の上部支柱からなり、下部支柱の側壁には上下方向に亘って等間隔で多数の透孔が穿設され、上部支柱の下部側壁には１〜複数の透孔が穿設され、上部支柱の透孔の間隔は下部支柱の透孔の間隔と等しくなされ上部支柱はその下部が下部支柱内に挿入され、前記透孔を貫通する螺子により螺着されていることを特徴とするものであり、上部支柱と下部支柱が夫々の側壁に設けられた透孔を貫通する螺子により固着されているので、上部支柱に荷重がかかってもずれることがない。
【０００８】
本発明請求項２記載の手摺支柱は、上部支柱の下部の透孔の背後に雌ネジが螺設された板体が設けられ、下部支柱と上部支柱を貫通する螺子がこの板体に螺入固着されたことを特徴とする請求項１記載のものであり、上部支柱の側壁が下部支柱の内壁と板体に挟着されるので、がたつきが発生し難い。
【０００９】
本発明請求項３記載の手摺支柱は、地表に取り付けるためのベースプレートに上部支柱と同形で、側壁の上部に補助支柱が設けられ、この補助支柱の上部側壁に１〜複数の透孔が穿設され、補助支柱の透孔の間隔は下部支柱の透孔の間隔と等しくなされ、補助支柱上部の透孔の背後に雌ネジが螺設された板体が設けられ、下部支柱と補助支柱を貫通する螺子がこの板体に螺入固着されたことを特徴とする請求項１又は２記載のものであり、ベースプレートと下部支柱の取付が容易であり、補助支柱と上部支柱に同形の押出型材を使うことができるので、製作が容易である。
【発明の効果】
【００１０】
本発明請求項１記載の手摺支柱は、中空状の下部支柱とこの下部支柱の内形より稍々小形の上部支柱からなり、下部支柱の側壁には上下方向に亘って等間隔で多数の透孔が穿設され、上部支柱の下部側壁には１〜複数の透孔が穿設され、上部支柱の透孔の間隔は下部支柱の透孔の間隔と等しくなされ上部支柱はその下部が下部支柱内に挿入され、前記透孔を貫通する螺子により螺着されていることを特徴とするものであり、上部支柱と下部支柱が夫々の側壁に設けられた透孔を貫通する螺子により固着されているので、上部支柱に荷重がかかってもずれることがない。
【００１１】
本発明請求項２記載の手摺支柱は、上部支柱の下部の透孔の背後に雌ネジが螺設された板体が設けられ、下部支柱と上部支柱を貫通する螺子がこの板体に螺入固着されたことを特徴とする請求項１記載のものであり、上部支柱の側壁が下部支柱の内壁と板体に挟着されるので、がたつきが発生し難い。
【００１２】
本発明請求項３記載の手摺支柱は、地表に取り付けるためのベースプレートに上部支柱と同形で、側壁の上部に補助支柱が設けられ、この補助支柱の上部側壁に１〜複数の透孔が穿設され、補助支柱の透孔の間隔は下部支柱の透孔の間隔と等しくなされ、補助支柱上部の透孔の背後に雌ネジが螺設された板体が設けられ、下部支柱と補助支柱を貫通する螺子がこの板体に螺入固着されたことを特徴とする請求項１又は２記載のものであり、ベースプレートと下部支柱の取付が容易であり、補助支柱と上部支柱に同形の押出型材を使うことができるので、製作が容易である。
【発明を実施するための最良の形態】
【００１３】
以下、図面を参照しながら本発明に付いて説明する。
図１は本発明手摺支柱の実施形態の一例を示す支柱を一部透視した正面図であり、図２は側面図である。図に於いて、１は下部支柱であり、ベースプレート３に設けられた補助支柱４に雌ネジを螺設した板体２１で挟着されている。下部支柱１の上部には上部支柱２が挿入され、下部支柱１と固着されている。
【００１４】
下部支柱１は側壁に多数の透孔１１が穿設された断面長円形の管体で、上端にソケット１２が設けられている。下部支柱１の下端には２個の透孔が設けられている。ベースプレート３上に設けられた補助支柱４には下部支柱１に設けられた透孔１１と等間隔で透孔が設けられ、下部支柱１の透孔１１と補助支柱４の透孔を貫通する螺子が雌ネジが螺設された板体２１に螺入固着されている。
【００１５】
上部支柱２の下部には、下部支柱１に穿設された多数の透孔の間隔と等間隔の透孔１１が２個設けられ、この透孔の間隔に等しい間隔で、雌ネジの螺設された板体２１が側壁内に設けられている。上部支柱２の下部は、下部支柱１の上部に挿入され、下部支柱１の透孔１１と上部支柱２の透孔を貫通する螺子が雌ネジが螺設された板体２１に螺入固着されている。
上部支柱２の上端には支柱キャップ２２が設けられ、ブラケットを介して手摺を支持するようになっている。
【００１６】
上部支柱２は、下部支柱１に多数穿設された透孔１１から選択した位置の透孔と螺着されるので、上下に伸縮して高さを選択できる。又、上部支柱２と下部支柱１は、夫々の透孔を貫通する螺子により固着されるので、上部支柱２に荷重がかかってもずれることがない。
【００１７】
上部支柱２と下部支柱１の材質は特に限定されるものではないが、アルミ合金押出型材が好適に用いられる。下部支柱１の多数の透孔１１が穿設された側壁の前面には、カバーが設けられれば外観上好適となる。
【図面の簡単な説明】
【００１８】
【図１】本発明手摺支柱の実施形態の一例を示す支柱を一部透視した正面図である。
【図２】本発明手摺支柱の実施形態の一例を示す支柱を一部透視した側面図である。
【符号の説明】
【００１９】
１      下部支柱
１１    透孔
１２    ソケット
２      上部支柱
２１    板体
２２    支柱キャップ
３      ベースプレート
４      補助支柱
【図１】
2006299581.tif 000003
【図２】
2006299581.tif 000004